(57)【要約】      （修正有）【課題】構成要素間の離脱が発生することのない上述の種類のバックレストを提供する。【解決手段】背もたれ部３０を固定する２軸ジョイント２０が、前記背もたれ部に連結されたジョイントプレート２１と、前記２軸ジョイントを基本位置に支持する弾性素材から形成された弾性要素２２，２３と、前記背もたれ支持体１０に連結され前記弾性要素２２，２３を収容する収容チェンバー２４とを有する椅子用バックレストにおいて、前記ジョイントプレート２１は、前記２軸ジョイントを基本位置に保持すると共に、各々前記収容チェンバー２４に対し支持された弾性素材からなる２つの要素２２，２３間の前記チェンバー内において、前記２軸について旋回可能なように構成される。２軸ジョイント２０が負荷状態に置かれたても２つの弾性要素２２，２３は圧縮力を受けるだけであり、前記ジョイントは離脱しない。【選択図】図１
2008100066.tif 000002
【特許請求の範囲】
【請求項１】
背もたれ支持体（１０）と、前記背もたれ支持体に固定されて、２軸ジョイント（２０）のまわりを旋回可能な背もたれ部（３０）とを備えた椅子用バックレストであって、前記２軸ジョイント（２０）は、前記背もたれ部に連結されたジョイントプレート（２１）と、前記２軸ジョイントを基本位置に支持する弾性素材から形成された弾性要素（２２，２３）と、前記背もたれ支持体（１０）に連結され前記弾性要素（２２，２３）を収容する収容チェンバー（２４）とを有する椅子用バックレストにおいて、
前記ジョイントプレート（２１）は、前記２軸ジョイントを前記基本位置に保持すると共に、各々前記収容チェンバー（２４）に対し支持された弾性素材からなる２つの要素（２２，２３）間の前記収容チェンバー内において前記２軸について旋回可能なように構成されることを特徴とした椅子用バックレスト。
【請求項２】
前記弾性要素は、弛緩状態で前記収容チェンバー内に収容されており、また、前記ジョイントプレートに対し強固に連結されていないことを特徴とした請求項１記載の椅子用バックレスト。
【請求項３】
前記２つの弾性要素の少なくとも１つはリング状であって、前記背もたれ部は、前記リング状弾性要素を介して、前記ジョイントプレートに連結されていることを特徴とした請求項１又は２記載の椅子用バックレスト。
【請求項４】
前記弾性要素は、開気孔ポリウレタン発泡材料などの圧縮可能な発泡材料から構成されていることを特徴とした請求項１から３の何れか１項に記載の椅子用バックレスト。
【請求項５】
前記収容チェンバーは、互いにネジ止めされた２つの部材（２４．１、２４．２）から構成されており、前記部材の一方（２４．１）は、前記背もたれ支持体（１０）に成形されており、また、前記背もたれ部（３０）は、リング状部材などのもう一方の部材（２４．２）を介して前記ジョイントプレート（２１）に連結されていることを特徴とした請求項１から４の何れかに記載の椅子用バックレスト。
【請求項６】
前記ジョイントプレート（２１）は、成形突起（２１．１）と共に前記もう一方の部材（２４．２）に差し込まれて、この差込領域において、前記成形突起（２１．１）は、前記もう一方の部材（２４．２）に対し遊びを有し、また、前記背もたれ部（３０）の方向に拡開することを特徴とした請求項５記載の椅子用バックレスト。
【請求項７】
前記成形突起（２１．１）に対して大きな表面を備え、また、好ましくは前記突起に対し回転不能である圧力分散プレート（２５）が前記背もたれ部（３０）及び前記成形突起（２１．１）間に設けられていることを特徴とした請求項６記載の椅子用バックレスト。
【請求項８】
前記収容チェンバー（２４）の前記部材（２４．１，２４．２）が互いにネジ止めされる際に、前記２つの弾性要素（２２，２３）は互いに圧縮されて、これにより、圧縮応力を与えられることを特徴とした請求項５から７の何れかに記載の椅子用バックレスト。
【請求項９】
前記背もたれ部（３０）は、好ましくは、単一のネジ（２６）により前記ジョイントプレート（２１）にネジ止めされることを特徴とした請求項１から８の何れかに記載のバックレスト。
【請求項１０】
前記ジョイントプレート（２１）は、前記収容チェンバー（２４）内において、捩れ動作に対して固定されていることを特徴とした請求項１から９の何れかに記載のバックレスト。
【発明の詳細な説明】
【技術分野】
【０００１】
本発明は、背もたれ支持体と、この背もたれ支持体に固定されると共に２軸ジョイントのまわりを旋回可能な背もたれ部とを備えた椅子用バックレストに関し、２軸ジョイントは背もたれ部に連結されたジョイントプレートと、２軸ジョイントを基本位置に支持する弾性素材からなる弾性要素と、背もたれ支持体に連結され弾性要素を収容するための収容チェンバーとを有する。
【背景技術】
【０００２】
この種類のバックレストは、欧州特許公開Ｎｏ.ＥＰ０９３５９３４Ａ２より知られており、ジョイントはエンドプレートと名付けられた２つのジョイントプレートから構成されている。このエンドプレートの一方は、ネジにより背もたれ部に連結されている。第２のエンドプレートは、ネジにより背もたれ支持体に連結されている。この２つのエンドプレート間に、弾性ゴム材からなる材料層が加硫接着されており、これによって、これら２つのエンドプレートの相対動作を可能とし、したがって、ジョイントの動きを可能とし、ジョイントを基本位置に支持している。第２のエンドプレート及び材料層の大部分は、背もたれ支持体に設けられたチェンバーに収容されている。
【発明の開示】
【発明が解決しようとする課題】
【０００３】
この従来技術の欠点は、エンドプレートの一方と弾性ゴム要素間の連結が脱落すると、背もたれ支持体から背もたれ部が抜け落ちることにある。このようなことが、バックレストに寄り掛かっている時に起こると、着座者は背中から倒れて、大怪我を招く結果となる。
【０００４】
本発明は、このような構成要素間の離脱が発生することのない上述の種類のバックレストを提供することにある。
【課題を解決するための手段】
【０００５】
この課題は、請求項１に記載の構成によって解決される。好ましい実施の態様及び本発明の変形例は、従属項に記載されたようなものである。
【０００６】
本発明に基づくバックレストは、収容チェンバー内に設けられたジョイントプレートが、弾性材料からなる２つの要素の間に挟まれ、これにより、ジョイントを基本位置に保持するとともに、各々のジョイントプレートが収容チェンバーに対し支持されて、２つの回転軸（two swivel axes）のまわりを回転できることを特徴としている。
【０００７】
本発明は、従来技術に開示されているようなジョイントの連結構成を用いないため、構成要素間の連結破損に関する課題を回避することができる。本発明で用いられる弾性要素は、背もたれ部が収容チェンバー内において背もたれ支持体に対し旋回する際に、引張力ではなく、圧縮力によってのみ負荷を受ける。このため、ジョイントプレートと２つの弾性要素間の境界面には、強固な連結は何ら必要とされない。好ましい実施形態に記載の通り、この２つの弾性要素は、収容チェンバー内に弛緩状態で収容でき、また、ジョイントプレートに対する強固な連結は不要である。特に、加硫接着連結は不要となるため、弾性要素として、弾性ゴムではなく、他の材料を使用することができる。
【０００８】
２つの弾性要素の少なくとも一方がリング状であって、背もたれ部がこのリング状弾性要素を介してジョイントプレートに連結されているとき、ジョイントの構成は簡素化される。
【０００９】
この２つの弾性要素には、圧縮可能な発泡材、特に、開気孔ポリウレタン（ＰＵＲ）発泡材を使用することが好ましい。この場合に、弾性要素は、ジョイントプレートと共に、収容チェンバーの内部空間を完全に埋め尽くし、このため、ジョイントには遊びがない状態とすることができる。この２つの弾性要素は、ジョイントの堅牢性を高めるため、収容チェンバー内において圧縮応力を与えられることが好ましい。これにより、収容チェンバーの容量を小さくすることができるため、ジョイント全体として構造上大変コンパクトにできる。この好都合な構成は、従来技術において使用されるような弾性ゴム材では不可能である。これは、弾性ゴム材は弾性変形可能であるが、圧縮されることはほとんど不可能であるため、収容チェンバー内に自由空間を設ける必要があるためである。
【００１０】
収容チェンバーは、互いにネジ止めされた２つの部材、特に、鍋状部材とプレート状部材とから組み立てられることが好ましく、ここにおいて、両部材の一方、例えば、鍋状部材を背もたれ部に、直接に成形又は形成することができる。
【００１１】
２つの旋回軸に対し垂直な軸について、背もたれ部を回転することが望ましい場合もある。しかし、美観の点から、背もたれ部は背もたれ支持体に対し絶えず同一方向を向いていることが好まれる場合が多い。これは、ジョイントプレートを収容チェンバー内においてねじれないように固定することで達成できる。
【発明を実施するための最良の形態】
【００１２】
図面で示されるバックレストは、特に、事務用椅子の下側フレーム（図示しない）に取り付けることを意図するものである。バックレストは背もたれ支持体１０を有し、この背もたれ支持体１０に、背もたれ部３０がジョイント２０を介して旋回（swievel）可能に固定されている。
【００１３】
背もたれ支持体１０は、おおよそ互いに平行な２本の支持ロッド１１によって構成されており、そのうち後方のロッドを図１及び図３において見ることができる。支持ロッド１１は、それらの下側自由端１２で、前述の下側フレームに連結されている。それらの上側端部領域において、２本の支持ロッド１１は互いに連結され、また、ジョイント２０の収容チェンバー２４の鍋状部材２４．１にもまた連結されて、これにより、支持ロッド１１は収容チェンバー２４の鍋状部材２４．１をＵ字形状に囲んでいる。
【００１４】
ジョイント２０は更に、ジョイントプレート２１を含んでおり、このプレートは２つのリング状要素２２、２３間の収容チェンバー２４に埋め込まれると共に、中央の貫通孔のため、同じくリング状となっている。このリング状要素２２、２３は、弾性材料及び圧縮可能な材料、特に、発泡材から製造され、特に、開気孔ポリウレタン（open  pore  ＰＵＲ）発泡材が好ましい。これらは、弛緩状態でチェンバー内に収容されて、ジョイントプレートに対する連結は強固なものではない。
【００１５】
収容チェンバー２４は、２つの部分からなり、上述の鍋状部材２４．１及びリングプレート２４．２から構成されている。リングプレート２４．２は、ネジ２４．３により鍋状部材２４．１にネジ止めすることができる。２つのリング状要素２２、２３とジョイントプレート２１から構成された積み重ね構造の厚さ全体は、収容チェンバー２４の奥行きよりも大きく、このため、要素２２及び２３は、リングプレート２４．２を鍋状部材２４．１にネジ止めすると圧縮される。
【００１６】
背もたれ部３０は、ネジ２６とナット２７によって、ジョイントプレート２１に連結される。ネジ２６は、背もたれ部３０のクッション３２を支持する後部後部外板３１を貫通してネジ止めし、さらに、後部外板３１に支持されるリング状圧力分散プレート２５、リングプレート２４．２、リング状要素２２、ジョイントプレート２１、そして最後に、ネジ止めに応じた中央開口部を同じく備えた収容チェンバー２４の鍋状部材２４．１の後壁を貫通してネジ止めしている。ナット２７は、背もたれ部３０から離れたジョイントプレート２１裏側の六角形空隙に回転不能な状態でしっかりと保持されている。
【００１７】
ジョイントプレート２１は、成形突起２１．１と共にリングプレート２４．２に差し込まれており、この成形突起２１．１は、差込領域において、リングプレート２４．２に対しある程度の遊びを有し、また、背もたれ部３０に向かって拡幅している。当該突起よりも大きな表面を有する前述の圧力分散プレート２５は、その後側において当該突起２１．１に当接し、また、当該突起が当該プレートに対し回転しないように、この突起と噛み合うことが好ましい。突起２１．１及び上述したナット２７のための空隙により、ジョイントプレート２１は、断面で見ると、プレート形状というよりもスリーブ形状を有することになる。
【００１８】
その圧縮力によって弾性圧縮応力を与えられた２つの弾性要素２２、２３間において、収容チェンバー２４内のジョイントプレート２１と共に背もたれ部３０は、基本位置に保持される。しかしながら、弾性要素２２、２３の圧縮力が高まれば、ジョイントプレート２１は、この基本位置に対して旋回可能である。この旋回能力は、ネジ２６の長さ方向に対し垂直な２つの軸に関して存在し、また、互いに関して存在する。ネジ２６の軸方向についてのジョイントプレート２１の回転はブロックされて、背もたれ支持体１０に対する背もたれ部３０のねじれを防止している。この回転防止機能は、収容チェンバー２４の内部空間に突出するリブを弾性要素２２、２３及びジョイントプレート２１の周囲の対応する凹みに連結することで得られる。符号２８は、収容チェンバー２４後方の蓋状カバーを示し、また、符号２９は同チェンバー２４の周縁領域のリング状カバーを示しており、どちらのカバーも美観を考慮して設けられている。
【図面の簡単な説明】
【００１９】
【図１】図1は、本発明に基づくバックレストの中央部の垂直断面図である。
【図２】図2は、図1のバックレストのジョイントの拡大図である。
【図３】図3は、図1のバックレストの分解図である。
【符号の説明】
【００２０】
１０      背もたれ支持体
２０      ２軸ジョイント
２１．１  ジョイントプレートの成型突起
２１      ジョイントプレート
２２      弾性要素
２３      弾性要素
２４      収容チェンバー
２４．１  収容チェンバーの鍋状部材
２４．２  収容チェンバーのリング状部材
２５      圧力分散プレート
２６      ネジ
２７      ナット
２８      蓋状カバー
２９      リング状カバー
３０      背もたれ部
３１      背もたれ部外板
３２      背もたれ部クッション
【図１】
2008100066.tif 000003
【図２】
2008100066.tif 000004
【図３】
2008100066.tif 000005
【外国語明細書】
2008100066.tif 000006
2008100066.tif 000007
2008100066.tif 000008
2008100066.tif 000009
2008100066.tif 000010
2008100066.tif 000011
2008100066.tif 000012
2008100066.tif 000013
2008100066.tif 000014
2008100066.tif 000015
2008100066.tif 000016